(57)【要約】【課題】  移動通信システムの基地局装置に直接高安定度の基準信号発生器を接続することなく周波数調整をなす。【解決手段】  保守監視制御端末５により予め特定の移動端末２を指定して基地局装置３にその識別情報を登録しておく。この登録移動端末２は、高安定度の基準信号発生器１が接続されてこの基準信号により動作するものとする。この移動端末２により発呼を行った場合、基地局装置３はこの移動端末が登録移動端末であることを確認して、その上り信号からクロック信号を抽出しこの抽出クロック信号に基いて内部の基準信号発生器の周波数調整を行う。これにより、基地局装置３に直接高安定度の基準信号発生器を接続しなくても周波数調整が可能となる。【選択図】      図１
2006295263.tif 000002
【特許請求の範囲】
【請求項１】
基地局装置の基準信号発生器の周波数調整システムであって、前記基地局装置において、予め指定された移動端末からの上り信号からクロック信号を抽出する手段と、この抽出クロック信号に基いて前記基準信号発生器の周波数調整をなす手段とを含むことを特徴とする周波数調整システム。
【請求項２】
前記移動端末は、前記基地局装置の基準信号発生器よりも高安定度の基準信号発生器の基準信号により動作することを特徴とする請求項１記載の周波数調整システム。
【請求項３】
前記移動端末を指定して前記基地局装置にこの移動端末の識別情報を登録する保守監視端末を、更に含むことを特徴とする請求項１または２記載の周波数調整システム。
【請求項４】
前記基地局装置において、発呼要求に応答して、登録された識別情報を参照して、前記発呼の要求元が前記指定された移動端末かどうかを判定する手段を、更に含むことを特徴とする請求項３記載の周波数調整システム。
【請求項５】
基地局装置の基準信号発生器の周波数調整方法であって、前記基地局装置において、予め指定された移動端末からの上り信号からクロック信号を抽出するステップと、この抽出クロック信号に基いて前記基準信号発生器の周波数調整をなすステップとを含むことを特徴とする周波数調整方法。
【請求項６】
前記移動端末を、前記基地局装置の基準信号発生器よりも高安定度の基準信号発生器の基準信号により動作させるステップを、更に含むことを特徴とする請求項５記載の周波数調整方法。
【請求項７】
保守監視端末において、前記移動端末を指定して前記基地局装置にこの移動端末の識別情報を登録するステップを、更に含むことを特徴とする請求項５または６記載の周波数調整方法。
【請求項８】
前記基地局装置において、発呼要求に応答して、登録された識別情報を参照して、前記発呼の要求元が前記指定された移動端末かどうかを判定するステップを、更に含むことを特徴とする請求項７記載の周波数調整方法。
【請求項９】
基準信号発生器の出力により動作する基地局装置であって、予め指定された移動端末からの上り信号からクロック信号を抽出する手段と、この抽出クロック信号に基いて前記基準信号発生器の周波数調整をなす手段とを含むことを特徴とする基地局装置。
【請求項１０】
前記上り信号は、前記基地局装置の基準信号発生器よりも高安定度の基準信号発生器の基準信号により動作する前記移動局からのものであることを特徴とする請求項９記載の基地局装置。
【請求項１１】
外部の保守監視端末から指定された前記移動端末の識別情報を登録する手段を、更に含むことを特徴とする請求項９または１０記載の基地局装置。
【請求項１２】
発呼要求に応答して、登録された識別情報を参照して、前記発呼の要求元が前記指定された移動端末かどうかを判定する手段を、更に含むことを特徴とする請求項１１記載の基地局装置。
【請求項１３】
基準信号発生器の出力により動作する基地局装置の動作をコンピュータにより実行させたるためのプログラムであって、予め指定された移動端末からの上り信号からクロック信号を抽出する処理と、この抽出クロック信号に基いて前記基準信号発生器の周波数調整をなす処理とを含むことを特徴とするプログラム。
【発明の詳細な説明】
【技術分野】
【０００１】
本発明は基地局装置における周波数調整システム及びその方法並びに基地局装置、プログラムに関し、特に基地局装置内部に設けられた基準信号発生器の周波数調整方式の改良に関するものである。
【背景技術】
【０００２】
従来の移動通信システムにおける基地局装置は、その伝送路としてＡＴＭ（Asynchronous Transfer Mode）回線を利用しており、このＡＴＭ回線は、一般的に、非常に安定した周波数精度を有している。このようなＡＴＭ回線を伝送路として用いる基地局装置では、このＡＴＭ回線から抽出されたクロック信号に、自装置の基準信号発生器の周波数を同期させるようになっている。従って、保守監視員が基地局装置の設置局舎へ入局することなく、基地局装置の周波数調整が自動的に行われることになる。
【０００３】
ここで、例えば、特許文献１を参照すると、ディジタル方式の移動通信システムの基地局装置において、上位制御局からのディジタル信号からクロックを抽出して、この抽出クロックに同期した基準クロックを生成して動作クロックを得ることが、段落「０００２」に示されている。
【０００４】
【特許文献１】特開２０００−３４９６３１号公報
【発明の開示】
【発明が解決しようとする課題】
【０００５】
近時においては、基地局装置が、ＡＴＭ回線ではなく、ＩＰ（Internet Protocol ）伝送路として利用するシステムがあり、このＩＰ網からは安定したクロック信号を抽出することは不可能であり、よって基地局装置内部に温度変化や経年変化の少ない安定度の高い発振器を設ける必要がある。また、この安定度の高い発振器を使用した場合でも、数年に一度の周波数調整を行うことが必要になる。
【０００６】
更に、ＩＰ網を利用する基地局装置の一部は、構内電話などにも利用されることを想定したものとなっており、非常に小型化されている。このような場合、基地局装置は屋根裏など、人間が立ち入ることが困難な場所に設置されることがあり、測定器などを持ち込んで周波数調整を行うことは極めて困難となる。
【０００７】
上述した特許文献１に記載の技術においても、ＩＰ網を利用している場合には、やはり上位局からのディジタル信号からの抽出クロックの周波数精度は高いものではなく、よって上述した問題がある。
【０００８】
本発明の目的は、基地局装置に直接高安定度の基準信号発生器を接続することなく周波数調整を可能とした基地局装置の周波数調整システムを提供することである。
【課題を解決するための手段】
【０００９】
本発明による周波数調整システムは、基地局装置の基準信号発生器の周波数調整システムであって、前記基地局装置において、予め指定された移動端末からの上り信号からクロック信号を抽出する手段と、この抽出クロック信号に基いて前記基準信号発生器の周波数調整をなす手段とを含むことを特徴とする。
【００１０】
本発明による周波数調整方法は、基地局装置の基準信号発生器の周波数調整方法であって、前記基地局装置において、予め指定された移動端末からの上り信号からクロック信号を抽出するステップと、この抽出クロック信号に基いて前記基準信号発生器の周波数調整をなすステップとを含むことを特徴とする。
【００１１】
本発明による基地局装置は、基準信号発生器の出力により動作する基地局装置であって、予め指定された移動端末からの上り信号からクロック信号を抽出する手段と、この抽出クロック信号に基いて前記基準信号発生器の周波数調整をなす手段とを含むことを特徴とする。
【００１２】
本発明によるプログラムは、基準信号発生器の出力により動作する基地局装置の動作をコンピュータにより実行させたるためのプログラムであって、予め指定された移動端末からの上り信号からクロック信号を抽出する処理と、この抽出クロック信号に基いて前記基準信号発生器の周波数調整をなす処理とを含むことを特徴とする。
【００１３】
本発明の作用を述べる。移動通信システムにおける基地局装置内の基準信号発生器の周波数調整をなすに際して、保守監視制御端末により、予め特定の移動端末を指定して基地局装置にその識別情報を登録しておく。この登録移動端末は、高安定度の基準信号発生器が接続されてこの基準信号により動作するようにしておく。この移動端末により発呼を行った場合に、基地局装置はこの移動端末が登録された移動端末であることを確認して、その上り信号からクロック信号を抽出し、この抽出クロック信号に基いて内部の基準信号発生器の周波数調整を行う。これにより、基地局装置に直接高安定度の基準信号発生器を接続しなくても、周波数調整が可能となる。
【発明の効果】
【００１４】
本発明によれば、基地局装置に、直接高安定度基準信号発生器を接続することなく、極めて簡単に周波数の調整ができるという効果がある。
【発明を実施するための最良の形態】
【００１５】
以下に図面を用いて本発明の実施の形態について説明する。図１は本発明の実施の形態の概略システムブロック図である。図１を参照すると、本実施の形態は、高安定度の基準信号発生器１に接続された移動端末２と、この移動端末２と無線通信可能な基地局装置３と、この基地局装置を制御する基地局制御装置４と、この基地局制御装置４を介して基地局装置３の保守監視をなす保守監視制御端末５とを有して構成されている。
【００１６】
本実施の形態においては、保守監視制御端末５から、基地局制御装置４を経由して予め指定された特定の移動端末２の上り信号から、基地局装置３においてクロック信号を抽出し、この抽出クロック信号に基地局装置３内の基準信号発生器を同期させるようにするものである。この場合の予め指定された特定の移動端末２には、高安定度の基準信号発生器１を接続してこの基準信号発生器１から供給されるクロック信号を原振として、移動端末２は動作するものとする。
【００１７】
図２を参照すると、移動端末２の概略ブロック図が示されており、送信データ（上り信号）はベースバンド信号生成部２１においてベースバンド処理され、無線送信部２２を介してアンテナ２３より無線送信される。ベースバンド信号生成部２１のベースバンド生成用クロック及び無線送信部２２の高周波発振部の原振には、外部に接続された高安定度基準信号発生器１からの高安定性のクロック信号が用いられる。これにより、移動端末２の上り送信信号は、無線周波数及びチップレート、シンボルレート、フレームタイミングなど、全て高安定度基準信号発生器１のクロック信号に同期した安定な送信信号となる。
【００１８】
図３を参照すると、基地局装置３の概略ブロック図が示されており、無線部３２は、ベースバンド信号を無線周波数に変換、増幅してアンテナ３１へ送信すると共に、アンテナ３１からの受信信号をベースバンド信号に変換するものである。ベースバンド処理部３３は、無線部３２からのベースバンド信号に対する復調を行って伝送路終端部３４へ出力すると共に、特定の移動端末（図１では、移動端末２）からの受信データのレートに同期したクロック信号を抽出するクロック抽出回路３９を有する。また、ベースバンド処理部３３は、伝送路終端部３４からのデータをベースバンド信号に変換し、無線部３２へ送出するものである。
【００１９】
伝送路終端部３４は、ベースバンド処理部３３からのデータを伝送路へ送出し、また伝送路からの受信データをベースバンド処理部３３へ送出するものである。制御部３８は、伝送路終端部３４を経由して基地局制御装置４や、その先に接続されている保守監視制御端末５と通信を行い、呼の設定やクロック信号の同期を行うべき移動端末の指定を、ベースバンド処理部３３に対して行うものである。
【００２０】
位相比較制御部３７は、ベースバンド処理部３３内のクロック抽出回路３９からのクロック信号と、基準信号発生器３５のクロック信号との位相比較を行い、クロック抽出回路３９のクロック信号に同期するように、Ｄ／Ａコンバータ３６を介して基準信号発生器３５の発振周波数の制御を行うものである。基準信号発生器３５は、位相比較制御部３７からＤ／Ａコンバータ３６を通じて発振周波数が調整自在なものである。無線部３２、ベースバンド処理部３３は、この基準信号発生器３５の出力クロック信号に同期して動作するものである。
【００２１】
なお、移動端末２に接続されている高安定度基準信号発生器１は、この発振クロック信号を用いて基地局装置３の基準信号発生器３５の周波数調整を行うものであるから、基準信号発生器３５よりも、より高安定度のものである。
【００２２】
図４は本発明の実施の形態の動作シーケンス図である。基地局装置３の基準信号発生器３５の周波数調整を行うに際して、先ず保守監視制御端末５から、基地局制御装置４を経由して、基地局装置３に対して、位相同期するための移動端末１を指定する登録処理がオペレータにより行われる（ステップＳ１）。この場合の移動端末の指定は、移動端末２を特定することができる識別情報を用いることができ、例えば電話番号などが考えられる。
【００２３】
保守監視制御端末５より指定された移動端末２の識別情報は、基地局制御装置４を介して基地局装置３へ送出され、伝送路終端部３４を経由して制御部３８へ供給され、図示せぬメモリに登録されることになる（ステップＳ２）。
【００２４】
この状態において、高安定度基準信号発生器１が接続された移動端末２を用いて、基地局装置３を介して任意の相手に電話をかける。すなわち、移動端末２から発呼が行われる（ステップＳ３）。この発呼に応答して、基地局装置３では、発呼した移動端末が予め登録されている移動端末かどうかが、制御部３８において判断される（ステップＳ４）。この判断は、制御部３８内に登録されている識別情報と発呼した移動端末２の識別情報とが比較されることにより行われるものである。
【００２５】
当該移動端末が登録されている移動端末であれば、ベースバンド処理部３３に対してベースバンド処理に必要な各種設定が行われると共に（ステップＳ５）、該当する呼からクロック信号を抽出するよう制御がなされる。移動端末２の接続が完了すると、基地局装置３のベースバンド処理部３３内のクロック抽出部３９は、その受信信号からクロック信号の抽出を開始する（ステップＳ６）。
【００２６】
このクロック信号を受けた位相比較部３７は、基準信号発生器３５の発振クロック信号を同期させるような制御を行う（ステップＳ７）。更に、位相同期が完全に終了した時点で、その制御値を保存し、調整が終了する（ステップＳ８）。
【００２７】
以降、基地局装置３はこのときに設定された周波数により運用が行われる。なお、ステップＳ４において、発呼した移動端末が登録されていないものであれば、通常の呼処理が行われる。そして、一定の周期で、上述の動作を繰り返すことにより、温度変化や経年変化に対して、安定した周波数精度が維持可能となる。
【００２８】
上述した図４に示す動作は、予めその動作手順をプログラムとしてＲＯＭなどの記録媒体に記録しておき、これをコンピュータ（ＣＰＵ）により読み取らせて実行するように構成できることは明らかである。
【図面の簡単な説明】
【００２９】
【図１】本発明の実施の形態を示すシステム図である。
【図２】図１の移動端末２の機能ブロック図である。
【図３】図１の基地局装置３の機能ブロック図である。
【図４】本発明の実施の形態の動作を示すシーケンス図である。
【符号の説明】
【００３０】
１  高安定度基準信号発生器
２  移動端末
３  基地局装置
４  基地局制御装置
５  保守監視制御端末
【図１】
2006295263.tif 000003
【図２】
2006295263.tif 000004
【図３】
2006295263.tif 000005
【図４】
2006295263.tif 000006